(57)【特許請求の範囲】
【請求項１】
所要形状とされた工具本体に分岐線コネクタ−のナットを把持せしめるべく固定把持部材と可動把持部材とが上下対向状に設けられ、該可動把持部材は工具本体に螺動自在に螺合されたネジ軸により可動自在とされると共に、該固定・可動把持部材前方の同一線上には分岐線コネクタ−のボルト頭部を係合して回転せしめるべく作動軸付きソケットが取付け部材を介して工具本体に設けられ、該ソケットは作動軸に介装された付勢バネ材により常時固定・可動把持部材方向に付勢され、かつ、該ソケットと固定・可動把持部材との間の両側には架空配電線を保持せしめるべく両側一対の保持部材が取付けア−ムを介して工具本体に設けられてなることを特徴とする、分岐線コネクタ−の取付け工具。
【請求項２】
両側の保持部材は、工具本体の両側前方に各々取付けア−ムを介して設けられた両側一対の固定挾持片と、該各固定挾持片に対応すべくその前端に作動軸を介して回転自在に設けられた可動挾持片とよりなり、上記各固定挾持片を上下に可動せしめるべく両側の取付けア−ムは付勢バネ材付き昇降体を介して工具本体両側に上下動自在に設けられ、固定挾持片はガイド孔及びガイドピンを介して取付けア−ムの長手方向に沿ってスライド自在とされると共に、可動挾持片は作動軸に介装された付勢バネ材を介して固定挾持片方向に常時付勢せしめられてなることを特徴とする、請求項１記載の分岐線コネクタ−の取付け工具。
【請求項３】
工具本体には、分岐線コネクタ−の回転を防止せしめるべく回転防止部材が固定把持部材の上方に取付け部材を介して設けられてなることを特徴とする、請求項１及び２記載の分岐線コネクタ−の取付け工具。
【請求項４】
ソケットには分岐線コネクタ−のボルト頭部を固定せしめるべく止ネジが設けられると共に、作動軸を所要の後退地点に停止せしめるべく停止部材が取付け部材を介して設けられてなることを特徴とする、請求項１〜３記載の分岐線コネクタ−の取付け工具。
【発明の詳細な説明】
【０００１】
【発明の属する技術分野】
本発明は、直接作業的に絶縁電線用の分岐線コネクタ−を本線に取付けるさいに使用する取付け工具に関する。
【０００２】
【従来の技術】
従来より、架空配電線の本線と分岐線とを接続せしめる分岐線コネクタ−としては、内周面に鋸歯状突起を備えた分岐線挟持体と本線挟持体とがボルト・ナットを介して接離自在に対向配設されると共に、該ボルトの頭部が一定加重（分岐線挟持体と本線挟持体とを確実に接触させるに必要な加重を意味する。）の下に破断自在とされたブレイクアウェイタイプのものが知られている。
【０００３】
そして、上述の如く構成された分岐線コネクタ−を直接作業的に取付けるさいには、片方の手でもって分岐線コネクタ−を握持しつつ分岐線挟持体と本線挟持体との間に各々本線および分岐線を挟み込むと共に、他方の手でもってラチエットスパナ等の工具によりボルトをナットにネジ込みつつボルトの頭部が破断するまで締付け、各鋸歯状突起を絶縁被覆層に喰い込ませて内部の導電線に接触せしめることにより電気的に接続せしめるものとされている。
【０００４】
【発明が解決しようとする課題】
ところで、上述の如く、分岐線コネクタ−を直接作業的に取付けるさいには、片方の手でもって本線および分岐線を挟み込んだ分岐線コネクタ−を握持せしめつつ、他方の手でもってラチエットスパナ等の工具によりボルトをナットにネジ込みつつボルト頭部が破断するまで締付けるものであるから、ボルトの回転力に抗して分岐線コネクタ−を握持せしめるため相当の握持力が必要とされるものであって、その取付け作業が非常に面倒で手間がかかり、極めて作業能率が悪いものとなっていた。また、常に架空配電線に対して分岐線コネクタ−を水平に保つことが困難であり、ひいては、分岐線コネクタ−の鋸歯状突起を架空配電線の導電線に確実に接触せしめることが出来ないのみならず、ボルト頭部の破断時においてもその衝撃により分岐線コネクタ−が揺動するおそれがあり、ひいては、架空配電線の長手方向に対してズレを生じる等して確実なる取付けがしずらいものとなっていた。
【０００５】
本発明は従来の問題点を一挙に解決し、分岐線コネクタ−を極めて容易に、しかも、迅速かつ確実に作業能率よく直接作業的に取付けることが出来る、分岐線コネクタ−の取付け工具を提供しようとするものである。
【０００６】
【課題を解決するための手段】
上記の目的を達成するため、本発明の請求項１記載の発明は、所要形状とされた工具本体に分岐線コネクタ−のナットを把持せしめるべく固定把持部材と可動把持部材とが上下対向状に設けられ、該可動把持部材は工具本体に螺動自在に螺合されたネジ軸により可動自在とされると共に、該固定・可動把持部材前方の同一線上には分岐線コネクタ−のボルト頭部を係合して回転せしめるべく作動軸付きソケットが取付け部材を介して工具本体に設けられ、該ソケットは作動軸に介装された付勢バネ材により常時固定・可動把持部材方向に付勢され、かつ、該ソケットと固定・可動把持部材との間の両側には架空配電線を保持せしめるべく両側一対の保持部材が取付けア−ムを介して工具本体に設けられてなることを特徴とする、分岐線コネクタ−の取付け工具を要旨とするものである。
【０００７】
上記請求項１記載の分岐線コネクタ−の取付け工具において、両側の保持部材は、工具本体の両側前方に各々取付けア−ムを介して設けられた両側一対の固定挾持片と、該各固定挾持片に対応すべくその前端に作動軸を介して回転自在に設けられた可動挾持片とよりなり、上記各固定挾持片を上下に可動せしめるべく両側の取付けア−ムは付勢バネ材付き昇降体を介して工具本体両側に上下動自在に設けられ、固定挾持片はガイド孔及びガイドピンを介して取付けア−ムの長手方向に沿ってスライド自在とされると共に、可動挾持片は作動軸に介装された付勢バネ材を介して固定挾持片方向に常時付勢せしめられている。
【０００８】
上記請求項１記載の分岐線コネクタ−の取付け工具において、工具本体には分岐線コネクタ−の回転を防止せしめるべく回転防止部材が固定把持部材の上方に取付け部材を介して設けられている。
【０００９】
また、請求項１記載の分岐線コネクタ−の取付け工具において、ソケットには分岐線コネクタ−のボルト頭部を固定せしめるべく止ネジが設けられると共に、作動軸を所要の後退地点に停止せしめるべく停止部材が取付け部材を介して設けられている。
【００１０】
【発明の実施の形態】
以下に、本発明の実施の形態を図面に示す一実施例に基づいて説明する。
図１〜図１０は本発明の一実施例を示すもので、同図中、１は略コ字形状とされた工具本体、２・３・４は該工具本体１を構成する垂直基部と上部水平ア−ムと下部水平ア−ム、５・６は後記する分岐線コネクタ−３７のナット４２を把持せしめるべく該上下部水平ア−ム３・４の内面に上下対向状に配設された固定把持部材と可動把持部材で、該下方の可動把持部材６は下部水平ア−ム４にネジ孔７を介して螺動自在に螺合された操作棒９付きネジ軸８により上下に可動自在とされている。
【００１１】
１０は後記する分岐線コネクタ−３７のボルト頭部４３に係合して回転せしめるべく固定・可動把持部材５・６前方の同一線上に配設されたソケット、１１は該ソケット１０に設けられたボルト頭部用止ネジ、１２はソケット１０を正逆に回転作動せしめると共に固定・可動把持部材５・６方向に進退作動せしめる作動軸、１３は工具本体１の上端部に略下向きコ字形状に取付けられた該作動軸１２の取付け部材、１４は作動軸１２の自由端に形成されたスパナ掛け部、１５は作動軸１２を軸支せしめるドライベアリング、１６はソケット１０を常時固定・可動把持部材５・６方向に付勢せしめるべく作動軸１２を介してソケット１０と取付け部材１３との間に介装された付勢バネ材、１７は止ネジ１１を介してソケット１０を所定の後退地点に停止せしめるべく取付け部材１３に垂下状に取付けられたストッパ−である。１８は取付け部材１３を介して固定・可動把持部材５・６の上方に配設された分岐線コネクタ−用回転防止部材で、該回転防止部材１８は取付けるべき分岐線コネクタ−３７の高さに応じて適宜回転作動せしめるべく上部回転防止片４５と下部回転防止片４６と操作軸４７とより構成されている。
【００１２】
１９は前記工具本体１の垂直基部２に昇降自在に抱持せしめられた略コ字形状の昇降体
、２０は該昇降体１９の上下方向に沿って形成された長孔状のガイド孔、２１は該ガイド孔２０に嵌合して昇降体１９を昇降自在にガイドせしめるべく垂直基部２に突設されたガイドピン、２２は昇降体１９の下面に遊挿された支持ピン、２３は該支持ピン２２を保持せしめるべく垂直基部２に突設された保持体、２４は該保持体２３と昇降体１９との間に支持ピン２２を介して介装された付勢バネ材で、該付勢バネ材２４により昇降体１９は常時上方に付勢せしめられている。２５は昇降体１９の昇降位置を調整せしめるべく垂直基部２の上部に枢着された偏心四角形状の昇降調整部材、２６は該昇降調整部材２５を枢着せしめる枢着ピンで、該枢着ピン２６を中心に昇降調整部材２５を回転せしめつつ昇降体１９上面に掛止せしめてその昇降位置を適正に調整せしめるものとされている。
【００１３】
２７は前記工具本体１の前方、即ち、ソケット１０の方向に向けて昇降体１９の両側に各々固着された両側一対の取付けア−ム、２８は該各取付けア−ム２７の長手方向に沿ってその先部に形成された長孔状のガイド孔、２９・３０は後記する架空配電線の本線３５を挟持せしめるべく該ガイド孔２８にガイドピン３１を介してスライド自在に取付けられた固定挟持片と可動挟持片で、該固定・可動挟持片２９・３０は前記固定・可動把持部材５・６とソケット１０との間の両側に位置するものとされている。なお、上記各可動挟持片３０は固定挟持片２９に回転自在に挿通された摘み３２付き作動軸３３により回転自在とされると共に、作動軸３３に巻装された付勢バネ材３４により常時固定挟持片２９方向に付勢するものとされている。
【００１４】
その他、３５は架空配電線の本線、３６は分岐線、３７は該本線３５と分岐線３６とを電気的に接続せしめるブレイクアウェイタイプの絶縁電線用分岐線コネクタ−、３８・３９は該分岐線コネクタ−３７を構成する二つ割状の分岐線挟持体と本線挟持体、４０は該分岐線挟持体３８と本線挟持体３９の内周面に各々突設された鋸歯状突起、４１・４２は分岐線挟持体３８と本線挟持体３９とを対向せしめつつ接離自在に可動せしめるボルトとナットで、該ボルト４１の頭部４３には破断溝４４が形成され、所要の加重でもって破断自在とされている。
【００１５】
次に、上述のごとく構成された実施例の作動について説明する。
先ず、本線３５と分岐線３６とを接続せしめるべく分岐線コネクタ−３７をセットせしめるさいには、取付けるべき本線３５の種類を確認すると共に、昇降調整部材２５を所定方向に回転せしめつつ、昇降体１９・取付けア−ム２７を介して両側の固定挟持片２９を適宜上下動せしめて本線３５に合致せしめる。しかるのち、図８に示すように、予め作動軸１２を付勢バネ材１６の付勢に抗して後退作動せしめつつ回転せしめ、ストッパ−１７に止ネジ１１を掛止してソケット１０を所要の後退地点に停止せしめると共に、摘み３２により作動軸３３を回転せしめ、両側の可動挟持片３０を各々上向き状に位置せしめる。このさい、ソケット１０は止ネジ１１をストッパ−１７に掛止せしめるものであるから、常に確実に所定の後退地点に停止せしめることが出来る。
【００１６】
次いで、図７に示すように、分岐線コネクタ−３７の分岐線挟持体３８内に分岐線３６を挿入せしめたのち、セットせしめる。即ち、分岐線コネクタ−３７を固定・可動把持部材５・６とソケット１０との間に嵌合せ、そのナット４２を固定把持部材５と可動把持部材６との間に位置せしめると共に、同ボルト４１をソケット１０方向に位置せしめる。しかるのち、一方の手でもって分岐線コネクタ−３７を握持せしめると共に、他方の手でもって操作棒９を操作せしめ、ネジ軸８を正転作動せしめつつ可動把持部材６を上昇せしめて固定把持部材５との間にナット４２を把持せしめる。次ぎに、作動軸１２を若干回転作動せしめ、止ネジ１１をストッパ−１７により解放せしめる。そして、作動軸１２を付勢バネ材１６の付勢により前進作動せしめ、ソケット１０をボルト４１の頭部４３に係合せしめると共に、止ネジ１１により固定せしめ、かつ、分岐線コネクタ−３７の頂面を下部回転防止片４６に当接せしめ、セットを完了する（図９参照）。
【００１７】
分岐線コネクタ−３７のセットが完了すると、操作棒９を握持せしめつつ、架空配電線の本線３５にアプロ−チせしめ、分岐線コネクタ−３７の本線挟持体３９に嵌合せしめる。しかるのち、両側の可動挟持片３０を下方に回動せしめつつ、付勢バネ材３４の付勢により固定挟持片２９との間に本線３５を挟持せしめ、かつ、固定挟持片２９を取付けア−ム２７のガイド孔２８に沿って適宜スライドせしめることにより本線３５と分岐線コネクタ−３７を水平状態に保持せしめる。次いで、操作棒９を握持しつつ、他方の手でもってラチエットスパナなどの工具により作動軸１２を正転作動せしめ、ボルト４１をナット４２にネジ込む。このさい、下部回転防止片４６と両側の固定・可動挟持片２９・３０とが相まって分岐線コネクタ−３７の回転を確実に防止せしめることが出来るのみならず、常に架空配電線の本線３５を水平状態に保持せしめることが出来る。ボルト４１のネジ込みにより、分岐線挟持体３８と本線挟持体３９とが次第に接近して各鋸歯状突起４０が本線３５および分岐線３６の絶縁被覆層に喰い込み、内部の導電線に接触して本線３５と分岐線３６とを電気的に接続せしめる（図１０参照）。そして、ボルト４１の頭部４３が破断溝４４に沿って破断した時点で作動軸１２の回転を停止し、ソケット１０の正転作動を停止する。このさい、止ネジ１１によりボルト４１の頭部４３を固定せしめつつ破断せしめるものであるから、破断後においても破断頭部４３が落下するおそれは全くないものである。また、一方の手でもって操作棒９を握持せしめつつ、他方の手でもって所要の工具によりボルト４１をナット４２にネジ込むものであるから、常に少ない握持力でもって締付け作業を行うことが出来るのみならず、ボルト４１の破断時においても、その衝撃を緩和せしめて本線３５の長手方向に対するズレを確実に防止せしめ、常に確実なる取付けをなし得る。さらに、昇降調整部材２５を所定方向に回転せしめつつ、昇降体１９・取付けア−ム２７を介して両側の固定挟持片２９を適宜上下動せしめて本線３５に合致せしめるものであるから、下部回転防止片４６と相俟って両側固定・可動挟持片２９・３０により本線３５と分岐線コネクタ−３７とを水平状態に確実に保持せしめることが出来、ひいては、分岐線コネクタ−３７を本線３５に斜め等に取付けることなく鋸歯状突起４０を本線３５の導電線に確実に接触せしめることが出来る。
【００１８】
そして、本線３５と分岐線３６との接続が完了すると、操作棒９によりネジ軸８を逆転作動せしめつつ可動把持部材６を下降作動せしめ、把持する分岐線コネクタ−３７のナット４２を解放すると共に、可動挟持片３０を上方に回動せしめて挟持する本線３５を解放する。次いで、作動軸１２を後退作動せしめ、止ネジ１１をストッパ−１７に掛止せしめることによりソケット１０を後退地点に停止せしめたのち、操作棒９を手でもって持ち上げ、分岐線コネクタ−３７より外すと共に、止ネジ１１を弛めてソケット１０内に残留するボルト４１の破断頭部４３を除去し、取付け作業を完了する。
【００１９】
なお、作動軸１２を所定の後退地点に停止せしめるものとしてストッパ−１７が示されているが、これに限定されるものではなく、例えば、止着ピン等により作動軸１２を止着停止せしめるように構成してもよいものである。
また、ネジ軸８には操作棒９が直接取付けられているが、これに限定されるものではなく、ネジ軸８に操作用摘み等を取付けると共に、別途握持棒を設けるべく構成せしめてもよいものである。
さらに、回転防止部材１８は上下部回転防止片４５・４６を操作軸４７により適宜回転作動せしめるものとされているが、これに限定されるものではなく、例えば、一枚の回転防止片を操作軸により上下動せしめつつ所定の高さに設定せしめるべく構成せしめてもよいものである。
【００２０】
【発明の効果】
本発明の請求項１記載の発明によれば以上の次第で、所要形状とされた工具本体に分岐線コネクタ−のナットを把持せしめるべく固定把持部材と可動把持部材とが上下対向状に設けられ、該可動把持部材は工具本体に螺動自在に螺合されたネジ軸により可動自在とされると共に、該固定・可動把持部材前方の同一線上には分岐線コネクタ−のボルト頭部を係合して回転せしめるべく作動軸付きソケットが取付け部材を介して工具本体に設けられ、該ソケットは作動軸に介装された付勢バネ材により常時固定・可動把持部材方向に付勢され、かつ、該ソケットと固定・可動把持部材との間の両側には架空配電線を保持せしめるべく両側一対の保持部材が取付けア−ムを介して工具本体に設けられているから、分岐線コネクタ−のナットを固定・可動把持部材間に把持せしめると共に、同ボルトをソケットに係合せしめ、かつ、挟み込んだ架空配電線の本線を両側の保持部材により水平状態に保持せしめたのち、片方の手でもって握持せしめると共に、他方の手でもって所要の工具により作動軸を介してソケットを回転作動せしめ、係合するボルトをその頭部が破断するまでネジ込むことにより締付けて直接作業的に取付けることが出来るものである。このため、従来例に比して、常に少ない握持力でもって容易に締付け作業を行うことが出来るのみならず、ボルトの破断時においてもその衝撃を緩和せしめて本線の長手方向に対するズレを確実に防止せしめることが出来るものであって、常に直接的な分岐線コネクタ−の取付け作業を極めて容易に、しかも、迅速かつ確実に作業能率よく行うことが出来るものである。
【００２１】
また、請求項１記載の分岐線コネクタ−の取付け工具において、両側の保持部材は、工具本体の両側前方に各々取付けア−ムを介して設けられた両側一対の固定挾持片と、該各固定挾持片に対応すべくその前端に作動軸を介して回転自在に設けられた可動挾持片とよりなり、上記各固定挾持片を上下に可動せしめるべく両側の取付けア−ムは付勢バネ材付き昇降体を介して工具本体両側に上下動自在に設けられ、固定挾持片はガイド孔及びガイドピンを介して取付けア−ムの長手方向に沿ってスライド自在とされると共に、可動挾持片は作動軸に介装された付勢バネ材を介して固定挾持片方向に常時付勢せしめられているから、架空配電線の本線を常に水平状態に保持せしめて鋸歯状突起を本線の導電線に確実に食い込ませることが出来るのみならず、分岐線コネクタ−の締結終期においてボルト頭部の破断衝撃が生起したさいにおいても、保持する架空配電線の本線を前後・上下に適宜可動せしめて緩衝せしめることが出来るものであって、ひいては、本線の長手方向に対するズレを生じることなく常に確実なる取付けを行うことが出来るものである。
【００２２】
さらに、請求項１記載の分岐線コネクタ−の取付け工具において、工具本体には、分岐線コネクタ−の回転を防止せしめるべく回転防止部材が固定把持部材の上方に取付け部材を介して設けられているから、両側の回転部材と相まって分岐線コネクタ−の回転を確実に防止せしめることが出来るのみならず、常に架空配電線の本線を水平状態に保持せしめることが出来るものである。
【００２３】
さらに、請求項１記載の分岐線コネクタ−の取付け工具において、ソケットには分岐線コネクタ−のボルト頭部を固定せしめるべく止ネジが設けられると共に、作動軸を所要の後退地点に停止せしめるべく停止部材が取付け部材を介して設けられているから、ボルト頭部を破断せしめたさいにおいても確実に保持せしめ、その落下を確実に防止せしめることが出来るのみならず
、分岐線コネクタ−をセットせしめるさいにおいても、停止部材により作動軸を介してソケットを所定の後退地点に確実に停止せしめ、分岐線コネクタ−のセットを容易に、しかも確実に行うことが出来るものである。
【図面の簡単な説明】
【図１】  本発明の一実施例を示す一部破断正面図である。
【図２】  実施例の平面図である。
【図３】  図２のＡ−Ａ線にそう断面図である。
【図４】  図２のＢ−Ｂ線にそう断面図である。
【図５】  図２のＣ−Ｃ線にそう断面図である。
【図６】  実施例の一部破断側面図である。
【図７】  分岐線コネクタ−３７に分岐線３６を挿入せしめた状態を示す斜視図である。
【図８】  実施例の可動挟持片３０を上方に回動せしめると共に、ソケット１０を後退地点に停止せしめた状態を示す一部破断正面図である。
【図９】  分岐線コネクタ−３７をセットせしめた状態を示す一部破断正面図である。
【図１０】  分岐線コネクタ−３７の取付け状態を示す一部拡大断面図である。
【符号の説明】
１    工具本体
５    固定把持部材
６    可動把持部材
８    ネジ軸
１０  ソケット
１１  止ネジ
１２  作動軸
１３ 取付け部材
１６ 付勢バネ材
１７  ストッパ−
１８  回転防止部材
１９  昇降体
２４ 付勢バネ材
２５  昇降調整部材
２７  取付けア−ム
２８ ガイド孔
２９  固定挟持片
３０  可動挟持片
３１ ガイドピン
３３ 作動軸
３４ 付勢バネ材
３５  本線
３６  分岐線
３７  分岐線コネクタ−
４１  ボルト
４２  ナツト
４３  頭部
４５  上部回転防止片
４６  下部回転防止片
４７  操作軸
【図１】
0003694835.tif 000002
【図２】
0003694835.tif 000003
【図３】
0003694835.tif 000004
【図４】
0003694835.tif 000005
【図５】
0003694835.tif 000006
【図６】
0003694835.tif 000007
【図７】
0003694835.tif 000008
【図８】
0003694835.tif 000009
【図９】
0003694835.tif 000010
【図１０】
0003694835.tif 000011